(57)【要約】【課題】本発明では、脱臭剤として炭を効果的に用いることができ、利用者の必要に応じたサイズでどこででも手軽に利用でき、パネル内部から脱臭剤が欠落することを防ぎ、ペットに壊されることの無いペット用の脱臭パネルを提供することを目的とする。【解決手段】ペーパーコアの内部に炭を充填し両面に不織布を貼り付けた炭入りパネルを、両面に段付き及びガラリ・穴加工が施されたフラッシュパネルの加工品に入れたことを特徴とするペット用間仕切りパネルであって、前記炭入りパネルを交換するため、前記フラッシュパネルにフタを備えた構成であり、単独で足を付けて用いたり、複数枚をＬ金物・丁番で連結して屏風のように用いられることを特徴とするペット用間仕切りパネルであるとする。【選択図】　　　図３
2004057097.tif 000002
【特許請求の範囲】
【請求項１】
ペーパーコアの内部に炭を充填し両面に不織布を貼り付けた炭入りパネルを、両面に段付き及びガラリ・穴加工が施されたフラッシュパネルの加工品に入れたことを特徴とするペット用間仕切りパネル。
【請求項２】
ペーパーコアの内部に炭を充填し両面に不織布を貼り付けた炭入りパネルを、両面に段付き及びガラリ・穴加工が施されたフラッシュパネルの加工品に入れたことを特徴とするペット用間仕切りパネルであって、
前記フラッシュパネルの加工品の外面若しくは内面に不織布を張り付けたことを特徴とする請求項１記載のペット用間仕切りパネル。
【請求項３】
ペーパーコアの内部に炭を充填し両面に不織布を貼り付けた炭入りパネルを、両面に段付き及びガラリ・穴加工が施されたフラッシュパネルの加工品に入れたことを特徴とするペット用間仕切りパネルであって、
前記炭入りパネルを交換するため、前記フラッシュパネルにフタを備えた構成であり、単独で足を付けて用いたり、複数枚をＬ金物・丁番で連結して屏風のように用いられることを特徴とする請求項１乃至２記載のペット用間仕切りパネル。
【発明の詳細な説明】
【０００１】
【発明が属する技術分野】
本発明は、ペーパーコアの内部に炭を充填し両面に不織布を貼り付けた炭入りパネルが収納出来る、ペット用の脱臭パネルに関するものである。
【０００２】
【従来の技術】
従来、ペット用の脱臭方法として、尿取りシートや猫用砂などに脱臭機能を持たせたもの、ペット用のトイレやベッドに脱臭剤を仕込んだものが用いられている。
【０００３】
『除湿脱臭パネル』（特開平０７−１３９０４６）では、強度の高い樹脂により略六角柱状に骨組みを形成し、その各側面に樹脂製の網を張設して木炭収納部を設け、パネル本体の内部に多数の木炭収納部の側面同士を隣接させた状態、いわゆる蜂の巣上の構造に一体成形して心材を形成し、その上面及び底面に樹脂製の網を貼着して、略直方形の板状に形成して各木炭収納部に多数の木炭を収納した、除湿脱臭パネルが開示されている。
【０００４】
『脱臭機能を備えた建材』（特開平０５−１６３７６７）では、活性炭と、結合剤又は骨材等とを適当量だけ混ぜ合わせ、この混合物に更にバインダーと、水とを加えて混練し、この混練物を押出成形機等により平板又はハニカム状等に押出して建材を成形する、脱臭機能を備えた建材が開示されている。
【０００５】
『室内の脱臭方法』（特開平０９−２５３１８７）では、一般トイレットや汚物処理室などの脱臭を自然な方法で、臭気の発生のタイミング、量に関係無く、常に、積極的に脱臭することのできる方法を簡便で無害に行う方法として提供するために、活性炭素をブロックまたは板状に成形して、取り替え可能な脱臭機能パネルを形成し、居住の壁の一部または全面に埋設またははめ込みにより施工し、通気性を有する紙またはシートにより表層を形成して、隣室または建物外部と貫通気を可能とし室外空気を貫流させることと、臭気を吸着脱臭し、臭気吸着効果がなくなるとパネル交換することを可能にしている。
【０００６】
『芳香・脱臭兼用装飾パネル』（特開平０９−０４７４９８）では、室内等の臭気環境の改善を図ることができ、かつ内装材および壁画等の素材として使用できる芳香・脱臭兼用装飾パネルを提供するために、有孔パネルと、その裏面に設けた凹部に配設した芳香材または脱臭材包装体と、有孔パネルの裏面に設けた接着剤層と、接着剤層に貼着した剥離紙とより構成される芳香・脱臭兼用装飾パネルが開示されている。
【０００７】
【発明が解決しょうとする課題】
しかし、ペットのトイレ回りを消臭するためには、従来の技術で取り上げた、尿取りシートや猫用砂などに脱臭機能を持たせたもの、ペット用のトイレやベッドに脱臭剤を仕込んだものでは脱臭剤の絶対量が少ないために、十分な効果を期待出来ない。
【０００８】
また、従来技術で挙げられているパネル状の脱臭材では、ペットが該パネルに噛み付いたり、爪を研いだりしてパネルを壊し、内部の消臭・芳香剤を散乱してしまうためペット用の脱臭剤として効果的とは言えない。
【０００９】
脱臭剤として炭を効果的に用いるためには、用いる炭の量を多くするとともに、炭を細かい粒状にして炭が空気に触れる面積を広くする必要がある。そのために、炭をパネル状に成形して用いるのが良い。しかし、従来技術で挙げられている、パネル状の脱臭材では、使用しているうちに、自然と内部の消臭・芳香剤が欠落し、パネルの裏表面から出て下部に落ちていることがある。
【００１０】
脱臭効果を高めるために、ペット用のベッドやトイレの底板や側板に脱臭剤を多く充填し、脱臭剤が空気に触れる面積を広くすると、脱臭用パネルが大きくなりすぎ、ペットの周囲に配置したときに違和感のある商品となったりもする。さらに、ペットによってはトイレ以外の場所でマーキングをしたり、病気等で沮喪をする事もあるために、ペットの臭いを完全に抑えることはより難しいものとなっている。
【００１１】
そのため本発明では、利用者の必要に応じたサイズでどこででも手軽に利用でき、パネル内部から脱臭剤が欠落することを防ぎ、ペットに壊されることの無いペット用の脱臭パネルを提供することを目的とする。
【００１２】
【課題を解決するための手段】
上記の課題を解決するために、本発明の請求項１に記載された発明は、ペーパーコアの内部に炭を充填し両面に不織布を貼り付けた炭入りパネルを、両面に段付き及びガラリ・穴加工が施されたフラッシュパネルの加工品に入れたことを特徴とするペット用間仕切りパネルであるとする。
【００１３】
請求項２に記載された発明は、ペーパーコアの内部に炭を充填し両面に不織布を貼り付けた炭入りパネルを、両面に段付き及びガラリ・穴加工が施されたフラッシュパネルの加工品に入れたことを特徴とするペット用間仕切りパネルであって、前記フラッシュパネルの加工品の外面若しくは内面に不織布を張り付けたことを特徴とする請求項１記載のペット用間仕切りパネルであるとする。
【００１４】
請求項３に記載された発明は、ペーパーコアの内部に炭を充填し両面に不織布を貼り付けた炭入りパネルを、両面に段付き及びガラリ・穴加工が施されたフラッシュパネルの加工品に入れたことを特徴とするペット用間仕切りパネルであって、前記炭入りパネルを交換するため、前記フラッシュパネルにフタを備えた構成であり、単独で足を付けて用いたり、複数枚をＬ金物・丁番で連結して屏風のように用いられることを特徴とする請求項１乃至２記載のペット用間仕切りパネルであるとする。
【００１５】
【発明の実施の形態】
本発明では、炭を脱臭剤として使用する。炭が空気に触れる面積を広くすることで脱臭機能に即効性を持たせるため、さらにパネルを立てて利用した時に炭が一方に片寄ってパネルの厚みが変わらないために、本発明では内部に炭を充填したペーパーコアの両面に不織布を貼り付けた炭入りパネルを利用する。
【００１６】
該炭入りパネルは、セル面積が略１００ｍｍ２のペーパーコア（該ペーパーコアは、不燃紙若しくは不燃性を持たせたものでも良い）の片面に、通気性・吸水性の良い不織布（該不織布は、不燃性のものでも良い、また片面にホットメルト付きのものでも良い）を接着剤で貼り付け、もう片面にホットメルト若しくは熱溶着ボンドを予め付けておき、ペーパーコアに振動を与えながらコア内部に炭を隙間無く充填する。この際、炭に予め自然乾燥型の凝固剤を噴霧しておいてもよい。そして残りの片面にも同じ不織布等を熱溶着し、不織布の周囲も接着剤・熱溶着にて重ね合わせ、若しくは袋閉じすることで作成される。
【００１７】
該炭入りパネルの製造方法の詳細は下記の通りである。図１は、炭入りパネルを作成するために用いられるペーパーコアを表す図である。
【００１８】
（１）ペーパーコア１の端部は区画が揃わず囲み部分が存在しない部分もあるため、段ボール紙６等を該ペーパーコア１の幅に切断したものを、ペーパーコア端部に接着し区画をループさせる。
【００１９】
（２）セル面積が略１００ｍｍ２のペーパーコア１に炭５を充填する前に、ペーパーコア１の不織布等との接着面にホットメルト若しくは熱溶着ボンドを付け、温風などで熱をかけてホットメルトの表面を滑らかにしておく。これにより、ペーパーコアに炭を充填する際、不織布等とペーパーコアとの間の狭い接着面に粉炭が付きにくくなる。粉炭が付着していると、後で不織布等をペーパーコアに熱溶着する際に溶着しにくくなる。これを防ぐために、予めホットメルトをペーパーコアに付けておき、ペーパーコアの切り口表面をなめらかにして粉炭を付着しにくくする。ホットメルトの付け方として、上下２本のローラーが同調回転しペーパーコアを挟んで送れるボンドコーターを用いて、溶解させたホットメルトを均一に付着させることができる。
【００２０】
（３）ペーパーコア１の片面に通気性・吸水性の良い略７０ｇ／ｍ２の不織布４、または不燃性の不織布４を貼り付ける。その際、不織布等の片面にホットメルトが付いたものを使用したりして接着すると良い。
【００２１】
（４）片面に不織布等を接着したペーパーコアに振動を与えながらコアの区画内に７ｍｍメッシュ以下の紛炭を隙間無く充填する。炭に自然乾燥型の凝固剤を噴霧してペーパーコアに振動を与えながらその内部に炭を隙間無く充填してもよい。ペーパーコアからはみ出している炭は、回転ブラシ等で払ったり、アイロン等でプレスしてコアの厚みに揃える。そして最初に不織布等を接着していないペーパーコアのもう片面も同じ通気性・吸水性のよい不織布等を熱溶着する。最後に不織布の周囲も接着剤・熱溶着にて重ね合わせる、若しくは袋閉じすることで炭入りパネルは作成される。図２は、完成した炭入りパネルを表す図であり、２は不織布重ね閉じ部、３は不織布袋閉じ部をそれぞれ表している。
【００２２】
本発明のペット用間仕切りパネルは、上記炭入りパネル１２を、両面にガラリ・穴加工及び段付き加工が成されたフラッシュパネルの加工品に内蔵することにより形成される。ガラリ・穴加工及び段付き加工が成されたフラッシュパネルを用いることで、炭入りパネル１２が濡れたり、トイレ用の猫砂等で汚れにくくなる。さらにペットの爪も炭入りパネル１２に届かなくなり該パネルを壊されることもなくなる。
【００２３】
図３は、本発明のペット用間仕切りパネルの一例を表す図であり、図４は、本発明のペット用間仕切りパネルの断面図である。７は通気性を備える加工品を収めるための外枠であり、８はガラリ・穴加工が施され通気性を備えた加工品である。該加工品はペットが噛んで壊したりしないように、金属・木・プラスチック等の素材で作成する。そして７，８で形成されたフラッシュパネルの加工品に炭入りパネル１２を収める。９は、フラッシュパネルの内面に貼られた不織布である。この不織布により、炭入りパネルから出た炭の微紛がパネル内に貯まるようにする事が出来る。１０はフラッシュパネルの中に収めた炭入りパネルを交換するときに用いる外枠のフタであり、固定ネジ１１で該外枠フタを固定する。１５は該ペット用間仕切りパネルを配置し易くするための足である。そして該パネルの下部・足には床などを傷つけないため、また滑りにくくするためにゴムクッションパッドもつけておく。
【００２４】
図５は、本発明のペット用間仕切りパネルを２枚連結した際の平面断面図である。１３は本発明のペット用間仕切りパネルを複数枚連結するために用いられる連結用Ｌ金物であり、連結用Ｌ金物取り付けネジ１４で固定する。本発明を連結して用いることにより、倒れにくく、様々な角度で配置出来るようになる。このようにペット用間仕切りパネル複数枚用いることにより、炭の絶対量が多くなり脱臭機能に即効性を持たせることもできる。
【００２５】
【発明の効果】
上記の発明により、
・脱臭剤として炭を効果的に用いることができる。
・個々の利用者の必要に応じたサイズのパネルが簡単に作成できる。
・パネル内部から炭が欠落することが無いため、汚れにくく取り扱い易い。
・様々な所で利用出来る。
・ペットに壊されることもない。
等の効果がある、ペット用の脱臭パネルを提供することができる。
【図面の簡単な説明】
【図１】炭入りパネルを作成するために用いられるペーパーコアを表す図である。
【図２】炭入りパネルの完成図である。
【図３】本発明のペット用間仕切りパネルの一例を表す図である。
【図４】本発明のペット用間仕切りパネルの断面図である。
【図５】本発明のペット用間仕切りパネルを２枚連結した際の平面断面図である。
【符号の説明】
１　　ペーパーコア
２　　不織布重ね閉じ部
３　　不織布袋閉じ部
４　　不織布
５　　炭
６　　段ボール紙
７　　通気性を備える加工品を収める外枠
８　　通気性を備える加工品
９　　加工品の内面に貼られた不織布
１０　炭入りパネル交換用の外枠フタ
１１　外枠フタ固定ネジ
１２　炭入りパネル
１３　連結用Ｌ金物
１４　連結用Ｌ金物取り付けネジ
１５　足
【図１】
2004057097.tif 000003
【図２】
2004057097.tif 000004
【図３】
2004057097.tif 000005
【図４】
2004057097.tif 000006
【図５】
2004057097.tif 000007